(57)【要約】【課題】  電子掲示板において、一つのテーマに対して複数の見解を表示するとともに、ブロックチェーンを用いてコンテンツ及び権限を管理することにより、セキュリティを高め投稿内容の信頼性を維持した電子掲示板提供装置、電子掲示板提供方法及び電子掲示板提供プログラムを提供する。【解決手段】  電子掲示板提供装置は、電子掲示板のテーマの投稿を受け付けるテーマ受付部と、テーマに対する見解の投稿を複数受け付ける見解受付部と、見解の編集を受け付ける見解編集部と、見解の投稿者ないし編集者にトークンを付与するトークン付与部とを備える。【選択図】図１
2020086868.tif 000002
【特許請求の範囲】
【請求項１】
ブロックチェーンを用いて管理し一つのテーマに対し複数の見解を表示する電子掲示板提供装置であって、
電子掲示板のテーマの投稿を受け付けるテーマ受付部と、
前記テーマに対する見解の投稿を複数受け付ける見解受付部と、
前記見解に対して編集を受け付ける見解編集部と、
前記見解の投稿を行った投稿者と前記見解の編集を行った編集者に対してトークンを付与するトークン付与部と
を備える電子掲示板提供装置。
【請求項２】
投稿または編集された前記見解について、査読により承認された前記見解を電子掲示板に反映する見解承認部をさらに備える請求項１に記載の電子掲示板提供装置。
【請求項３】
投稿または編集された前記見解の評価を行う評価部をさらに備える請求項１または請求項２に記載の電子掲示板提供装置。
【請求項４】
前記トークン付与部は、前記評価部における評価に基づき評価の高さにしたがって前記トークンを付与する請求項３に記載の電子掲示板提供装置。
【請求項５】
前記テーマの投稿と、前記見解の投稿と、前記見解の編集と、前記見解の査読は、保有する前記トークンの量により権限を付与する権限付与部をさらに備える請求項１から請求項４のいずれか一項に記載の電子掲示板提供装置。
【請求項６】
前記トークン付与部は、前記見解がいかなる投稿分野に関する内容であるかを含めて前記トークンを付与し、
前記権限付与部は、前記投稿分野に関し、一定以上の前記トークンを保有する者に対し当該投稿分野の権限を付与する請求項５に記載の電子掲示板提供装置。
【請求項７】
前記トークン付与部は、前記投稿分野を階層構造で管理し、前記見解がいかなる前記投稿分野に関する内容であるかを含めて前記トークンを付与し、
前記権限付与部は、前記投稿分野に関し、階層構造も加味して一定以上の前記トークンを保有する者に対し当該投稿分野の権限を付与する請求項６に記載の電子掲示板提供装置。
【請求項８】
前記トークン付与部は、法定通貨により購入可能であり、対価の支払いとして使用する通貨トークンと、前記見解の投稿または編集に対して付与し、時間とともに減衰させ保有者の投稿または編集に対する信頼度の尺度として機能する信頼度トークンと、前記見解の投稿または編集に対して付与し、電子掲示板作成の貢献度の尺度として機能する貢献度トークンのいずれか一つまたは複数のトークンを付与する請求項１から請求項７のいずれか一項に記載の電子掲示板提供装置。
【請求項９】
ブロックチェーンを用いて管理し一つのテーマに対し複数の見解を表示する電子掲示板提供方法であって、
電子掲示板のテーマの投稿を受け付けるテーマ受付ステップと、
前記テーマに対する見解の投稿を複数受け付ける見解受付ステップと、
前記見解に対して編集を受け付ける見解編集ステップと、
前記見解の投稿を行った投稿者と前記見解の編集を行った編集者に対してトークンを付与するトークン付与ステップと
をコンピュータに実行させる電子掲示板提供方法。
【請求項１０】
ブロックチェーンを用いて管理し一つのテーマに対し複数の見解を表示する電子掲示板提供プログラムであって、
電子掲示板のるテーマの投稿を受け付けるテーマ受付ステップと、
前記テーマに対する見解の投稿を複数受け付ける見解受付ステップと、
前記見解に対して編集を受け付ける見解編集ステップと、
前記見解の投稿を行った投稿者と前記見解の編集を行った編集者に対してトークンを付与するトークン付与ステップと
をコンピュータに実行させる電子掲示板提供プログラム。
【発明の詳細な説明】
【技術分野】
【０００１】
本開示は、一つのテーマに対し複数の見解を表示する電子掲示板提供装置、電子掲示板提供方法及び電子掲示板提供プログラムに関する。
【背景技術】
【０００２】
近年、インターネットを通じて誰でも簡単に情報を発信することが可能となり、例えば電子掲示板には様々な情報が掲載されている。また、wikiページなど共同作業でコンテンツが作成されるシステムや、投稿者による投稿を査読した上で掲示するシステムなどは、記事の内容の信頼性や情報量なども十分であり、インターネットから情報を得るための重要な手段となっている。
【０００３】
特許文献１では、電子掲示板を含むコンテンツ投稿システムにおいて、投稿者、中間校閲者、公開責任者という役割を与え、投稿者が投稿したコンテンツは、中間校閲者及び公開責任者が適切と判断した場合に公開される。このように投稿者の投稿したコンテンツが校閲を経て公開されることにより、適切なコンテンツの公開を図る構成が示されている。
【０００４】
特許文献２では、投稿者による投稿をエディタが採用・編集を行い、利用者による投稿情報の利用に応じてポイントを付与し、評価や経済的対価に反映させる構成が示されている。
【０００５】
特許文献３では、コンテンツをブロックチェーンを用いて分散管理することにより、中央集権的な管理を省略する構成が示されている。
【先行技術文献】
【特許文献】
【０００６】
【特許文献１】特開２０１５−２２３４２号公報
【特許文献２】特開２００９−８０８２８号公報
【特許文献３】特開２０１７−２０４７０７号公報
【発明の概要】
【発明が解決しようとする課題】
【０００７】
特許文献１では、投稿されたコンテンツに対して、査読権限を有する者により査読を行うことでコンテンツが公開され、電子掲示板の記事の信頼性を維持することが可能である。また、特許文献２では、投稿者による投稿をエディタが査読・編集を行った上で公開されることで電子掲示板の記事の信頼性を維持する。さらに、利用者の利用に応じてポイントを付与し、投稿者の評価や経済的対価に反映させている。さらに、特許文献３では、ブロックチェーンを用いてコンテンツを管理することで、中央集権的な管理を省略する構成について示している。
【０００８】
しかし、従来の電子掲示板では、あるテーマに対して複数の見解を表示する構成となっていない。テーマによっては、見解が一つとは限らず、一つのテーマに対して複数の見解が生ずることもある。また、特に歴史や政治などの分野では、ある見解をよく思わない者によりハッキングなどの攻撃を受ける可能性も考えられ、コンテンツの管理をブロックチェーンなどにより分散管理することが望ましい。さらに、コンテンツを公開するに際しては、査読を経て公開を行うことがコンテンツの内容の信頼性の維持に寄与する。
【０００９】
そこで、本開示では、（ａ）あるテーマに対して複数の見解を表示可能な構成の電子掲示板を提供し、（ｂ）ブロックチェーン技術を用いて分散管理を行い、（ｃ）投稿された記事に対しては査読を経て公開することで信頼性を担保し、（ｄ）記事を投稿ないし編集・査読した者に対してトークンを付与することで評価や経済的対価の支払を行う電子掲示板提供装置を提供することを目的とする。
【課題を解決するための手段】
【００１０】
本開示の一態様における電子掲示板提供装置は、テーマ（Ｑｕｅｓｔｉｏｎ）の投稿を受け付けるテーマ受付部と、テーマに対する見解（Ｖｉｅｗｐｏｉｎｔ）の投稿を受け付ける見解受付部と、投稿された見解に対する編集を受け付ける見解編集部と、投稿ないし編集された見解を査読して承認を行う見解承認部と、投稿ないし編集された見解の評価を行う評価部と、見解の投稿者や編集者に対してトークンを付与するトークン付与部と、保有するトークンに応じて見解の編集権限や承認権限を与える権限付与部とを備える。
【００１１】
本開示の一態様における電子掲示板提供方法は、テーマの投稿を受け付けるテーマ受付ステップと、テーマに対する見解の投稿を受け付ける見解受付ステップと、投稿された見解に対する編集を受け付ける見解編集ステップと、投稿ないし編集された見解を査読して承認を行う見解承認ステップと、投稿ないし編集された見解の評価を行う評価ステップと、見解の投稿者や編集者に対してトークンを付与するトークン付与ステップと、保有するトークンに応じて見解の編集権限や承認権限を与える権限付与ステップとを、コンピュータにより実行させる方法である。
【００１２】
本開示の一態様における電子掲示板提供プログラムは、テーマの投稿を受け付けるテーマ受付ステップと、テーマに対する見解の投稿を受け付ける見解受付ステップと、投稿された見解に対する編集を受け付ける見解編集ステップと、投稿ないし編集された見解を査読して承認を行う見解承認ステップと、投稿ないし編集された見解の評価を行う評価ステップと、見解の投稿者や編集者に対してトークンを付与するトークン付与ステップと、保有するトークンに応じて見解の編集権限や承認権限を与える権限付与ステップとを、コンピュータにより実行させるためのプログラムである。
【発明の効果】
【００１３】
本開示によれば、wikiページのような共同編集可能な電子掲示板について、一つのテーマに対して複数の見解を表示することが可能である。これにより、歴史や政治など、複数の見解があるテーマに対しても一つの見解に偏ることなく中立かつ平等な情報提供を行うことが可能となる。
【００１４】
また、ブロックチェーンを用いて分散管理を行うことにより、悪意を持った第三者からの攻撃に対しても、影響を軽減して電子掲示板の運営を行うことを可能とするとともに、不当な書換えなどの攻撃に対しても備えることが可能となる。
【００１５】
さらに、投稿された記事は査読を経て公開することにより、電子掲示板の内容の信頼性を高める。加えて、投稿ないし編集した者にはトークンを付与して評価や対価を与え、保有するトークンに応じて編集権限や査読権限を与えることにより、不正を予防した権限付与を可能とする。
【図面の簡単な説明】
【００１６】
【図１】本開示の電子掲示板提供装置の構成の一例を示す図である。
【図２】本開示における電子掲示板ＤＢのデータ構成の一例を示す図である。
【図３】本開示における投稿分野テーブルの具体例を示す図である。
【図４】本開示におけるトークンデータのうち通貨トークンのデータ構成の一例を示す図である。
【図５】本開示におけるトークンデータのうち信頼度トークンのデータ構成の一例を示す図である。
【図６】本開示におけるトークンデータのうち貢献度トークンのデータ構成の一例を示す図である。
【図７】本開示の電子掲示板提供装置の処理の流れの一例を示すフローチャートである。
【図８】本開示の実施形態に係るコンピュータの構成を示す概略ブロック図である。
【発明を実施するための形態】
【００１７】
以下、本開示の実施形態に係る電子掲示板提供装置、電子掲示板提供方法及び電子掲示板提供プログラムについて図面を参照しながら説明する。なお、以下に説明する実施形態は、特許請求の範囲に記載された本開示の内容を不当に限定するものではない。また、実施形態で説明される構成の全てが、本開示の必須構成要件であるとは限らない。また、実施形態を説明する全図において、共通の構成要素には同一の符号を付し、繰り返しの説明を省略する。
【００１８】
図１は、本開示にかかる電子掲示板提供装置１の全体構成を示す図である。以下、これを参照して、本開示にかかる電子掲示板提供装置１の構成について説明する。
【００１９】
＜構成＞
電子掲示板提供サーバ１００は、テーマ受付部１０１と、見解受付部１０２と、 見解編集部１０３と、見解承認部１０４と、評価部１０５と、トークン付与部１０６と、権限付与部１０７と、電子掲示板ＤＢ（データベース）１０８と、ブロックチェーン分散ネットワーク１１０と、電子掲示板データ１１１と、トークンデータ１１２とを有する。電子掲示板提供サーバ１００は、ネットワークＮＷを介して、利用者端末２００−１〜２００−Ｎと接続されている。電子掲示板提供サーバ１００は、コンピュータにプログラムを実装することにより実現する。なお、電子掲示板提供サーバ１００を構成する各部は、複数のコンピュータに分散して実現されていても構わない。また、電子掲示板ＤＢ１０８は電子掲示板提供サーバ外に存在しても構わない。さらに、電子掲示板データ１１１、トークンデータ１１２は、電子掲示板提供サーバ１００と繋がれたブロックチェーン分散ネットワーク１１０内に存在する。
【００２０】
利用者端末２００−１〜２００−Ｎは、テーマの提案を行う提案者、見解の投稿を行う投稿者、見解の編集を行う編集者、見解の査読を行う査読者、見解の評価を行う評価者などの利用者によって操作され、または表示を行う端末である。
【００２１】
テーマ受付部１０１は、提案者よりなされたテーマを取得する。これにより、電子掲示板ＤＢ１０８に新たなテーマが追加され、公開される。そして、電子掲示板提供装置１の利用者は、追加されたテーマに対する見解を投稿することが可能となる。
【００２２】
見解受付部１０２は、利用者端末２００−１〜２００−Ｎを通してなされた投稿者による電子掲示板ＤＢ１０８に存在するテーマに対する見解の投稿を取得する。取得した見解は電子掲示板ＤＢ１０８に記憶する。
【００２３】
見解編集部１０３は、編集権限を有する編集者による電子掲示板ＤＢ１０８に存在する見解の内容を編集する投稿を受付け、電子掲示板ＤＢ１０８に記憶する。
【００２４】
見解承認部１０４は、査読権限を有する査読者による電子掲示板ＤＢ１０８に存在する見解の投稿及び／又は見解の編集投稿に対する査読を受け付け、必要に応じて査読者が編集した上で、承認が行われる。そして、承認が行われた見解の投稿は公開される。さらに、見解の編集に対する承認も行われた場合には、編集者により編集された後の見解が公開される。
【００２５】
図２は、電子掲示板ＤＢ１０８の具体例を示したものである。電子掲示板ＤＢ１０８には、投稿されたテーマと、それに対する見解を記憶する。例えば、図２に示すように、テーマには、Ｑ０００１などのＩＤを付与し、見解については、対応するテーマのＩＤ（Ｑ０００１）に続けて見解のＩＤ（Ｑ０００１Ｖ０００１）を付与することにより管理することが可能である。さらに、見解を編集した場合には、編集元の見解のＩＤに編集のＩＤ（Ｑ０００２Ｖ０００３Ｍ０００１）を付与して管理することが可能である。また、テーマと見解は内容のみを記憶してもよいが、電子掲示板の内容を把握しやすいように、タイトルも記憶することも可能である（図２では、テーマにはタイトルは付与せず、見解にはタイトルを付与する構成としている）。さらに、査読者による承認の有無や評価のスコア、投稿分野なども記憶することができる。
【００２６】
電子掲示板データ１１１は、電子掲示板ＤＢ１０８のデータのハッシュ値又は、電子掲示板ＤＢ１０８のデータに基づく値をブロックチェーン上で管理する。電子掲示板データ１１１を省略することも可能であるが、電子掲示板データ１１１があることにより、電子掲示板ＤＢ１０８内のデータに不正の改変がないことが担保される。また、電子掲示板データ１１１に電子掲示板ＤＢ１０８の内容をそのまま保存することも可能であるし、この場合には、電子掲示板ＤＢ１０８を省略して、電子掲示板データ１１１に投稿されたテーマと、それに対する見解を記憶することも可能である。
【００２７】
評価部１０５は、評価権限を有する評価者により、査読者により承認された見解の投稿及び／又は見解の編集を評価する。評価は、例えば、スコアの上限Ｎを決めておき、評価者が０〜Ｎの範囲内でスコアを付けて評価を行う。
【００２８】
評価部１０５における評価に対しては、単にスコアリングを行うのみではなく、投稿者による投稿又は編集者による編集の投稿分野も付して行うことも可能である。なお、投稿分野の付与については、テーマを投稿した者が付与することも考えられるし、査読者又は評価者が付与することも可能である。
【００２９】
図３は、見解の投稿や編集における投稿分野を示した投稿分野テーブルの具体例を示したものである。投稿分野テーブルは、複数のカテゴリを用意することが可能であるが、それに加えて、サブカテゴリやサブサブカテゴリを用意して階層構造としてもよい。図３の例では、例えば「政治」というカテゴリのサブカテゴリとして、「法律」や「行政」といったカテゴリがあることを示している。
【００３０】
トークン付与部１０６は、見解の評価に基づき、トークンを付与する。ここで、トークンは複数の種類のトークンを付与することができる。トークンの種類は、例えば、（ａ）法定通貨により購入可能であり、対価の支払いとして使用する通貨トークンと、（ｂ）見解の投稿または編集に対して付与し、時間とともに減衰させ保有者の投稿または編集に対する信頼度の尺度として機能する信頼度トークンと、（ｃ）見解の投稿または編集に対して付与し、電子掲示板作成の貢献度の尺度として機能する貢献度トークンなどが考えられる。
【００３１】
通貨トークンは、法定通貨との交換が可能であり、経済的価値を有するトークンである。見解の投稿を行った投稿者又は編集を行った編集者に対して、投稿又は編集の対価として通貨トークンを付与する。付与する通貨トークンの原資は、例えば、テーマの投稿において、一定の通貨トークンを支払わせ、その通貨トークンを評価者による評価に応じて（例えば評価に比例させて）付与することが考えられる。
【００３２】
ここで、テーマに対する見解の投稿又は編集は、いつ行われるか分からない。一方で、早く投稿又は編集を行った者に対して多くの対価を支払った方が、早期に充実した見解を集約することができる。したがって、例えば、投稿からある期間Ｔ１の間に投稿ないし編集された見解に対し、テーマの投稿時に支払われた対価Ｆ１の一定割合Ｒ１を評価に応じて分配することが考えられる。すなわち、投稿から最初のＴ１までの期間になされた見解の投稿ないし編集に対し、Ｒ１Ｆ１のトークンを評価に応じて付与する。次のＴ１経過までの期間になされた見解の投稿ないし編集に対し、（１−Ｒ１）Ｒ１Ｆ１のトークンを評価に応じて付与する。さらに次のＴ１経過までの期間になされた見解の投稿ないし編集に対し、（１−（１−Ｒ１）Ｒ１）Ｒ１Ｆ１のトークンを評価に応じて付与し、これを原資のトークンがなくなるまで繰り返す。これにより、早期に投稿した者ほど多くのトークンの付与を受けられる可能性が高まり、早期に有益な見解が投稿ないし編集されることが期待できる。
【００３３】
上記のように、時間の経過とともに、見解の投稿又は編集に対して付与されるトークンは減少するが、例えば、テーマが有益なものである場合には、誰でもそのテーマに対してさらに通貨トークンを支払うことも可能である。これにより、見解の投稿又は編集により付与されるトークンが増大することで、より多くの見解の投稿又は編集がなされることが期待できる。
【００３４】
信頼度トークンは、見解の投稿または編集に対して付与し、時間とともに減衰させ保有者の投稿または編集に対する信頼度の尺度として機能するトークンである。見解の投稿を行った投稿者又は編集を行った編集者に対しては、評価者により評価がされた後に、評価に応じて（例えば評価に比例して）、信頼度トークンを付与する。
【００３５】
ここで、信頼度トークンは、投稿者又は編集者が有益である評価の高い投稿又は編集を行った場合に多く付与されるものではあるが、過去に多くの評価を獲得していても、その後長期間評価がない場合には、必ずしも信頼度が高いとは言い切れない。したがって、時的要素を考慮し、最近高い評価を得ている者をより高く評価することが重要と考えられる。したがって、ある期間Ｔ２毎に、Ｒ２だけ減衰させることが考えられる。たとえば、ある時点でＦ２の信頼度トークンを得たものは、Ｔ２経過後には、Ｆ２−Ｒ２Ｆ２の信頼度トークンに減衰する。かかる方式を用いた信頼度トークンの付与により、特に最近有益な見解の投稿又は編集を行った者に高い信頼度トークンが付与されることとすることが可能である。
【００３６】
また、信頼度トークンは、投稿者が行った投稿又は編集者が行った編集について、その該当投稿分野（サブカテゴリがある場合にはこれを含めることも可能であるし、サブカテゴリがない場合には、上位のカテゴリのみとすることも可能である。）に関する情報も併せて管理することも可能である。
【００３７】
貢献度トークンは、見解の投稿または編集に対して付与し、電子掲示板作成の貢献度の尺度として機能するトークンである。見解の投稿を行った投稿者又は編集を行った編集者に対しては、評価者により評価がされた後に、評価に応じて（例えば評価に比例して）、貢献度トークンを付与する。
【００３８】
貢献度トークンは、電子掲示板作成の貢献度を表す尺度であるが、例えば、電子掲示板に投稿された記事をもとに編集物を出版する際、その対価を配分するときに、貢献度トークンに応じて分配することが考えられる。これは、電子掲示板に投稿した記事に対する著作財産権の割合に類似した概念として機能する。
【００３９】
また、貢献度トークンは、投稿者が行った投稿又は編集者が行った編集について、その該当投稿分野に関する情報も併せて管理することも可能である。
【００４０】
図４は、トークンデータ１１２のうち、通貨トークンの具体例を示したものである。通貨トークンは経済的価値を有し、法定通貨との交換も可能であることから、２０１８年３月１日の事象のように、通貨トークンを購入することが可能である。また、２０１８年３月２日の事象のように、テーマの投稿に対して通貨トークンを利用し、２０１８年３月９日の事象のように、見解の投稿ないし編集によりその対価（報酬）として通貨トークンが付与される。
【００４１】
図５は、トークンデータ１１２のうち、信頼度トークンの具体例を示したものである。信頼度トークンは、見解の投稿又は編集によって付与されるため、２０１８年３月１０日の事象のように、これらによって付与される。また、付与されるトークンの量と、投稿又は編集の投稿分野についても記憶される。なお、投稿分野についてサブカテゴリもある場合には、それも含めて記憶される。さらに、２０１８年３月３０日の事象により、信頼度トークンは、一定期間経過後には減衰する。
【００４２】
図６は、トークンデータ１１２のうち、貢献度トークンの具体例を示したものである。貢献度トークンは、見解の投稿又は編集によって付与されるため、２０１８年３月１０日の事象のように、これらによって付与される。また、付与されるトークンの量と、投稿又は編集の投稿分野についても記憶される。なお、投稿分野についてサブカテゴリもある場合には、それも含めて記憶される。
【００４３】
権限付与部１０７は、テーマの投稿、見解の投稿、見解の編集、投稿又は編集された見解の査読、投稿又は編集された見解の評価を行う権限を付与する。これは、通貨トークン、信頼度トークン、貢献度トークンの保有状況により権限を付与する。
【００４４】
例えば、テーマの投稿については、幅広くテーマを集めることが電子掲示板の内容を充実させることに寄与することのみを考慮すれば、条件を設定しないことも考えられる。しかし、テーマの投稿者は、これにより自らが知りたい様々な見解を見ることができるようになることから、一定の経済的対価を支払わせることが考えられる。また、テーマの投稿者から支払われた経済的対価を見解の投稿者や編集者に支払うことにより、より充実した見解が投稿ないし編集されることが期待できる。したがって、テーマの投稿に対しては、一定の通貨トークンを保有することを条件とし、保有する通貨トークンの一定額を支払うことで投稿が可能、とすることが考えられる。
【００４５】
見解の投稿については、幅広く見解を集める観点から考えれば、条件を設定しなくともよい。投稿された見解は査読者による承認を経て初めて公開されることから、これにより信頼性の低い見解の投稿を排除することができる。
【００４６】
見解の編集については、査読者による承認を経ることを考慮すれば、条件を設定しないとすることも考えられる。しかし、投稿された見解を編集する権限であることを考えれば、一定程度の実績がある者、すなわち、信頼度トークンを一定以上保有する者を編集者として権限を付与することが考えられる。
【００４７】
また、信頼度トークンは、投稿分野も合せて管理することも可能であるため、当該投稿分野について一定以上の信頼度トークンを保有する者を編集者として権限を付与することも可能である。ここで、当該投稿分野の上位概念の投稿分野、下位概念の投稿分野あるいは、上位概念を共通とする兄弟カテゴリの投稿分野を加味して（これらを重みをつけて加算し閾値を超えるか否か判定する等）、権限を付与することも可能である。
【００４８】
見解の投稿又は見解の編集に対する査読については、一般公開を行うか否かを判断することを踏まえると、一定の信頼度トークンを保有する者に対して権限を付与することが考えられる。さらに、意図的な不適切な査読が行われないように、一定の通貨トークンを担保として積み立てさせることも考えられる。すなわち、一定の信頼度トークンと通貨トークンを保有する者を査読者とする構成が考えられる。
【００４９】
また、信頼度トークンは、投稿分野も合せて管理することも可能であるため、当該投稿分野について一定以上の信頼度トークンを保有する者を査読者として権限を付与することも可能である。ここで、当該投稿分野の上位概念の投稿分野、下位概念の投稿分野あるいは、上位概念を共通とする兄弟カテゴリの投稿分野を加味して（これらを重みをつけて加算し閾値を超えるか否か判定する等）、権限を付与することも可能である。
【００５０】
見解の投稿又は見解の編集に対する評価については、評価により通貨トークンの付与にも影響を与えるものであるため、電子掲示板提供装置の主催者が行うことも考えられる。また、経済的対価の付与という立場にあることから、一定の信頼度トークンを保有する者や、さらに不当な配分がされないように、一定の通貨トークンを担保として積み立てさせること、すなわち一定の信頼度トークンと通貨トークンを保有する者を評価者とする構成が考えられる。
【００５１】
また、信頼度トークンは、投稿分野も合せて管理することも可能であるため、当該投稿分野について一定以上の信頼度トークンを保有する者を評価者として権限を付与することも可能である。ここで、当該投稿分野の上位概念の投稿分野、下位概念の投稿分野あるいは、上位概念を共通とする兄弟カテゴリの投稿分野を加味して（これらを重みをつけて加算し閾値を超えるか否か判定する等）、権限を付与することも可能である。
【００５２】
以上のように、テーマ−見解という構成の共同編集可能な電子掲示板を提供することにより、一つのテーマに対して複数の見解を表示することが可能となり、中立かつ平等な情報提供を行うことが可能となる。また、ブロックチェーンを用いて分散管理を行うことにより、悪意を持った第三者からの攻撃に対しても、耐性を高めることが可能となり、対価などのトークンの分配についてもセキュリティ性能を向上させることが可能となる。さらに、投稿された見解は査読を経て公開することにより、電子掲示板の内容の信頼性を高め、トークンの保有を条件として編集権限や査読権限を与えることにより、不正を防止した権限付与が可能となる。
【００５３】
＜具体例＞
本開示の具体的な処理を説明する。なお、利用者は、利用者端末２００−１〜２００−Ｎを操作し、また、利用者への表示は、利用者端末２００−１〜２００−Ｎにより行われる。
【００５４】
テーマ受付部１０１は、利用者が利用者端末２００−１〜２００−Ｎより投稿された見解を求めたいテーマを取得する。例えば、「なぜアメリカは広島と長崎を原爆投下のターゲットにしたのですか？」といったテーマを取得する。テーマ受付部１０１により取得したテーマは、電子掲示板ＤＢ１０８に記憶される。例えば、図２に示すように、テーマに関するＩＤ＝Ｑ０００１を付与して、「なぜアメリカは広島と長崎を原爆投下のターゲットにしたのですか？」というテーマを記憶する。
【００５５】
投稿者がテーマを投稿するときには、通貨トークンを支払う。例えば、テーマの投稿に通貨トークン８単位が必要だとした場合、かかる支払を行う。通貨トークンの変動については、トークンデータ１１２に記憶される。例えば、図４の２０１８年３月２日に示すように、Ｑ０００１のテーマの投稿に際して、投稿者であるｕｓｅｒ０００１が通貨トークン８単位を支払ったことが記憶される。
【００５６】
投稿されたテーマは電子掲示板に反映して公開される。そして、見解受付部１０２は、投稿者により投稿されたテーマに対する見解を取得する。例えば、図２に示すように、「なぜアメリカは広島と長崎を原爆投下のターゲットにしたのですか？」に対して、タイトルを「東京や京都などの大都市は軍事施設がなく標的としなかった」とした見解を取得する。見解受付部１０２により取得した見解は、電子掲示板ＤＢ１０８に記憶される。
【００５７】
見解編集部１０３は、編集者による見解の編集を受け付ける。編集者に対しては、査読者により承認された見解のみに編集権限を与えてもよいし、査読者により承認される前の見解に対しても編集権限を与えてもよい。例えば、図２に示すように、「カルス条約とは何ですか？」というテーマに対し、既にタイトルを「日本が締結した」とした見解が投稿されている場合、編集者は、タイトルを「ソ連とトルコが締結した」とした見解への編集を行い、見解編集部１０３はこれを受け付けることができる。
【００５８】
見解承認部１０４は、査読者による見解の投稿又は編集の査読を受け付ける。見解承認部１０４で取得した査読者による見解の編集及び承認の有無の査読結果は、電子掲示板ＤＢ１０８に記憶される。例えば、図２に示すように、「なぜアメリカは広島と長崎を原爆投下のターゲットにしたのですか？」というテーマに対し、タイトルを「東京や京都などの大都市は軍事施設がなく標的としなかった」とした見解について査読を行い、これが公開に相応しいものであれば、査読者は承認を行い、見解承認部１０４はその査読結果を取得する。逆に、公開に相応しいものでなければ、査読者は承認を行わず、見解承認部１０４はその査読結果を取得する。そして、見解承認部１０４が取得した査読結果は、電子掲示板ＤＢ１０８に記憶される。例えば、タイトルを「東京や京都などの大都市は軍事施設がなく標的としなかった」とした見解に対しては承認が行われ、電子掲示板ＤＢ１０８には、「承認＝ＯＫ」と記憶される。
【００５９】
評価部１０５は、見解の投稿又は編集に対する評価者の評価を取得し、電子掲示板ＤＢ１０８に記憶する。例えば、評価を１〜１０の１０段階で行い、有益な内容に対しては高い評価を行い、そうでないものには低い評価を行う。例えば、図２に示すように、「なぜアメリカは広島と長崎を原爆投下のターゲットにしたのですか？」というテーマに対し、タイトルを「東京や京都などの大都市は軍事施設がなく標的としなかった」とした見解について、「７」という評価が付され、これを取得した評価部１０５は電子掲示板ＤＢ１０８に記憶する。また、評価者がテーマ又は見解の投稿分野を決定するときは、評価部１０５は投稿分野も取得して電子掲示板ＤＢ１０８に記憶する。
【００６０】
トークン付与部１０６は、評価部１０５における評価に基づいて、トークンを付与する。ここでは、通貨トークン、信頼度トークン、貢献度トークンの３種類を付与することを例にとる。
【００６１】
通貨トークンの付与については、例えば、テーマの投稿に８単位を要するものとし、７日毎に半分ずつ分配し、分配する通貨トークンが１を切る場合には、残りの通貨トークンを全て分配するルールとする。すなわち、テーマの投稿後、最初の７日間で４単位を分配、次の７日間で２単位を分配、さらに次の７日間で１単位を分配、さらに次の７日間で１単位を分配するものとする。
【００６２】
そして、最初の７日間で、評価を８とするＱ０１００Ｖ０００１、評価を４とするＱ０１００Ｖ０００２、評価を４とするＱ０１００Ｖ０００３の投稿があったとすると、通貨トークン４単位をそれぞれ評価に比例させて、Ｑ０１００Ｖ０００１に２単位、Ｑ０１００Ｖ０００２に１単位、Ｑ０１００Ｖ０００３に１単位を付与する。次の７日間で、評価を８とするＱ０１００Ｖ０００２Ｍ０００１、評価を８とするＱ０１００Ｖ０００４の投稿があったとすると、２単位をそれぞれ評価に比例させて、Ｑ０１００Ｖ０００２Ｍ０００１に１単位を、Ｑ０１００Ｖ０００４に１単位を付与する。残りの期間についても同様に、評価に比例させて、通貨トークンを付与する。
【００６３】
信頼度トークンの付与については、例えば、評価部１０５による評価の値に比例させて、信頼度トークンを付与する。しかし、一定期間（例えば２０日）経過ごとに、かかるトークンは減衰（例えば半減）する。例えば、ある投稿者がＱ０１０１Ｖ０００１に見解を投稿し、８という評価を得ると、信頼度トークン８単位が付与される。しかし、信頼度トークンは、付与から２０日経過後には半減し、４単位となる。その後、Ｑ０１０２Ｖ０００１の投稿をし、６という評価を得ると、信頼度トークン６単位が付与され、合計の信頼度トークンは１０単位となる。ただし、Ｑ０１０１Ｖ０００１の付与から４０日が経過すると、さらにその信頼度トークンは半減するため、合計の信頼度トークンは、（４／２＋６）＝８単位となる。
【００６４】
また、信頼度トークンの付与については、投稿分野も合せて管理することが可能である。例えば、Ｑ０１００Ｖ０００１の投稿分野が「政治−法律」であり、Ｑ０１０１Ｖ０００１の分野が「社会−社会科学」である場合には、最初の８単位付与時には、「８（政治−法律）」、２０日後の減衰時には、「４（政治−法律）」、Ｑ０１０１Ｖ０００１に対する信頼度トークン付与時には、「４（政治−法律）＋６（社会−社会科学）」、４０日後の減衰時には、「２（政治−法律）＋６（社会−社会科学）」として管理することができる。
【００６５】
貢献度トークンの付与についても、信頼度トークンの付与と同じように、例えば、評価部１０５による評価の値に比例させて、貢献度トークンを付与する。例えば、ある投稿者がＱ０１０１Ｖ０００１に見解を投稿し、８という評価を得ると、信頼度トークン８単位が付与される。その後、Ｑ０１０２Ｖ０００１の投稿をし、６という評価を得ると、信頼度トークン６単位が付与され、合計の信頼度トークンは１０単位となる。
【００６６】
貢献度トークンの付与についても、投稿分野を合せて管理することが可能である。例えば、Ｑ０１００Ｖ０００１の投稿分野が「政治−法律」であり、Ｑ０１０１Ｖ０００１の投稿分野が「社会−社会科学」である場合には、最初の８単位付与時には、「８（政治−法律）」、Ｑ０１０１Ｖ０００１に対する信頼度トークン付与時には、「４（政治−法律）＋６（社会−社会科学）」、として管理することができる。
【００６７】
権限付与部１０７は、テーマの投稿、見解の投稿、見解の編集、投稿又は編集された見解の査読、投稿又は編集された見解の評価を行う権限をトークンの保有量に応じて付与する。
【００６８】
例えば、テーマの投稿には、通貨トークン１０単位を要すると定めた場合、通貨トークンを１０以上有する者のみがテーマの投稿権限を付与される。そして、テーマを投稿した後には、保有する通貨トークンは１０単位消費することとなる。
【００６９】
見解の投稿を行う投稿権限に対しても何らかの条件を定めることも可能であるが、定めないことも可能である。広く見解の投稿を集める観点からは、条件を定めずに誰でも権限を有するとすることも考えられる。
【００７０】
見解の編集を行う編集権限については、例えば信頼度トークンが１０単位以上の者と定めることが可能である。見解の投稿又は編集に対して査読を行う査読権限については、例えば信頼度トークンが１００単位以上であり、かつ通貨トークンを１００単位以上保有する者という条件を定めることが可能である。見解の投稿又は編集を評価する評価者については、例えば信頼度トークンが２００単位以上の者という条件を定めることが可能である。
【００７１】
信頼度トークンは、投稿分野も含めて管理することが可能である。したがって権限の付与についても、投稿分野を考慮し、例えば、「経済−経済史」投稿分野の編集権限、査読権限、評価権限について、「経済」（サブカテゴリは問わず）投稿分野の信頼度トークンをＣ単位以上有することを条件とした権限設定とすることも可能である。
【００７２】
＜処理の流れ＞
図７は、本開示における電子掲示板提供装置の処理の流れを示す。
【００７３】
テーマ受付部１０１は、テーマを取得する（ステップＳ１）。
【００７４】
見解受付部１０２は、見解の投稿を取得する（ステップＳ２）。
【００７５】
見解編集部１０３は、投稿された見解に対する編集を取得する（ステップＳ３）。
【００７６】
見解承認部１０４は、投稿された見解及び／又は編集された見解の査読結果を取得する（ステップＳ４）。
【００７７】
評価部１０５は、投稿された見解及び／又は編集された見解の評価結果を取得する。この際、投稿されたテーマ及び／又は投稿ないし編集された見解の投稿分野について取得することも可能である（ステップＳ５）。
【００７８】
トークン付与部１０６は、見解の投稿者及び見解の編集者に対して、通貨トークン、信頼度トークン、貢献度トークンを付与する。通貨トークンについては、一定期間内に投稿ないし編集された見解に対して評価に応じて付与し、時間の経過とともに付与の総量を少なくすることが可能である。信頼度トークンと貢献度トークンは、評価に応じて付与する。ただし、信頼度トークンは時間の経過とともに減衰する（ステップＳ６）。
【００７９】
権限付与部１０７は、通貨トークン、信頼度トークンの保有量に応じて、テーマの投稿者、見解の投稿者、見解の編集者、査読者、評価者に関する権限を付与する。このとき、信頼度トークンの投稿分野に関するトークンの保有量を考慮して権限を付与することも可能である（ステップＳ７）。
【００８０】
＜本開示の効果＞
本開示により、テーマ−見解という構成の共同編集可能な電子掲示板を提供することにより、一つのテーマに対して複数の見解を表示することが可能となり、中立かつ平等な情報提供を行うことが可能となる。
【００８１】
また、電子掲示板のデータをブロックチェーンを用いて分散管理を行うことにより、悪意を持った第三者からの攻撃（システムダウンや電子掲示板データの書き換え）に対しても、耐性を高め、セキュリティの高いシステムを構築することが可能となる。さらに、見解の投稿又は編集に対する対価的な意味合いを持つトークンの分配についても、ブロックチェーンに基づくトークンを付与することで、セキュリティ性能を向上させることが可能となる。
【００８２】
加えて、投稿された見解は査読承認を経て公開することにより、電子掲示板の内容の信頼性を高め、トークンの保有を条件として編集権限や査読権限を与えることにより、信頼度の高い利用者に自動的に権限を付与し、不正を防止しつつ広く見解を集めることが可能となる。
【００８３】
＜プログラム＞
図８は、コンピュータ８０１の構成を示す概略ブロック図である。コンピュータ８０１は、ＣＰＵ８０２、主記憶装置８０３、補助記憶装置８０４、インタフェース８０５を備える。
【００８４】
ここで、電子掲示板提供装置１を構成する各機能を実現するためのプログラムの詳細について説明する。
【００８５】
電子掲示板提供装置１は、コンピュータ８０１に実装される。そして、電子掲示板提供装置１の各構成要素の動作は、プログラムの形式で補助記憶装置８０４に記憶されている。ＣＰＵ８０２は、プログラムを補助記憶装置８０４から読み出して主記憶装置８０３に展開し、当該プログラムに従って上記処理を実行する。また、ＣＰＵ８０２は、プログラムに従って、上述した記憶部に対応する記憶領域を主記憶装置８０３に確保する。
【００８６】
当該プログラムは、具体的には、コンピュータ８０１において、テーマの投稿を受け付けるテーマ受付ステップと、テーマに対する見解を受け付ける見解受付ステップと、投稿された見解に対する編集を受け付ける見解編集ステップと、投稿ないし編集された見解を査読して承認を行う見解承認ステップと、投稿ないし編集された見解の評価を行う評価ステップと、見解の投稿者や編集者に対してトークンを付与するトークン付与ステップと、保有するトークンに応じて見解の編集権限や承認権限を与える権限付与ステップとを、コンピュータにより実行させるためのプログラムである。
【００８７】
なお、補助記憶装置８０４は、一時的でない有形の媒体の一例である。一時的でない有形の媒体の他の例としては、インタフェース８０５を介して接続される磁気ディスク、光磁気ディスク、ＣＤ−ＲＯＭ（Ｃｏｍｐａｃｔ  Ｄｉｓｃ  Ｒｅａｄ−Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ−Ｏｎｌｙ  Ｍｅｍｏｒｙ）、半導体メモリ等が挙げられる。また、このプログラムがネットワークを介してコンピュータ８０１に配信される場合、配信を受けたコンピュータ８０１が当該プログラムを主記憶装置８０３に展開し、上記処理を実行してもよい。
【００８８】
また、当該プログラムは、前述した機能の一部を実現するためのものであってもよい。さらに、当該プログラムは、前述した機能を補助記憶装置８０４に既に記憶されている他のプログラムとの組み合わせで実現するもの、いわゆる差分ファイル（差分プログラム）であってもよい。
【００８９】
以上、本開示の実施形態について説明したが、設計上の都合やその他の要因によって必要となる様々な修正や組み合わせは、請求項に記載されている発明や発明の実施形態に記載されている具体例に対応する発明の範囲に含まれるものとする。
【符号の説明】
【００９０】
１…電子掲示板提供装置、１００…電子掲示板提供サーバ、１０１…テーマ受付部、１０２…見解受付部、１０３…見解編集部、１０４…見解承認部、１０５…評価部、１０６…トークン付与部、１０７…権限付与部、１０８…電子掲示板ＤＢ、１１０…ブロックチェーン分散ネットワーク、１１１…電子掲示板データ、１１２…トークンデータ、２００−１〜２００−Ｎ…利用者端末、８０１…コンピュータ、８０２…ＣＰＵ、８０３…主記憶装置、８０４…補助記憶装置、８０５…インタフェース、ＮＷ…ネットワーク
【図１】
2020086868.tif 000003
【図２】
2020086868.tif 000004
【図３】
2020086868.tif 000005
【図４】
2020086868.tif 000006
【図５】
2020086868.tif 000007
【図６】
2020086868.tif 000008
【図７】
2020086868.tif 000009
【図８】
2020086868.tif 000010